(57)【要約】【課題】環境問題・ごみの減量化対策に関し、環境への負荷を軽減して生ごみ処理装置の動力を得る。【解決手段】従来の自転車のペダル機能を用いて、人の脚力（足）で攪拌・回転動力源とする。前輪を小型化するなど新たなデザイン、または既存自転車後部の安定化を図るため固定スタンドを装着し、生ごみの処理回転ドラムを支える。この生ごみの処理回転ドラムは、容量を２０〜３５リットルに押さえた密閉型容器であり、着脱式で運搬・水洗可能なものである。ギアチェンジにより回転数を上げ遠心力利用で生ごみから出る水分を分離除去でき、有用微生物による発酵分解を促す。また、同様にギアチェンジすることで、生ごみの処理回転ドラムの回転を止め攪拌フィンのみ回転させることができる。【選択図】      図１
2004358447.tif 000002
【特許請求の範囲】
【請求項１】
従来の自転車のペダル機能を用いて、人の脚力を生ごみ等の攪拌回転動力源とする。足でペダルを踏み発生させた回転をギア（チエーンホイール）で受け、ギアに取り付けたチェーン等で生ごみ処理回転ドラム（１）装着部のギアに伝達し回転させ、有用微生物発酵促進材と生ごみを攪拌回転させる動力とする。
【請求項２】
生ごみ処理回転ドラム（１）は、密閉型容器とし、着脱式で運搬、水洗可能。ギアチェンジにより、回転ドラムの回転数を上げたり、ドラムは回転せず攪拌フィン（７・８）のみ回転させることができる。
【発明の詳細な説明】
【０００１】
【発明の属する技術分野】
本発明は、一般家庭などで出される生ごみ等を有用微生物の働きによって発酵分解促進し、ごみの量を減少させると共に、有機肥料にも利用できる処理物を生成する生ごみ処理機に関し、効率を高めるための攪拌・回転動力を、従来の自転車のペダル機能を用いて人の脚力（足）により得る点に特徴がある。中古自転車のリユースに新たな活路を拓く。
【０００２】
【従来の技術】
環境問題・ごみの減量化対策は、避けては通れない社会の課題であり、行政・事業者・家庭それぞれにおいて様々な努力がなされ、減量化に向けて、種々の生ごみ処理装置が開発されている。
【０００３】
【発明が解決しようとする課題】
一般家庭などで出される生ごみ等を有用微生物の働きによって発酵分解促進し、ごみの量を減少させると共に、有機肥料にも利用できる処理をする際、効率を高めるための攪拌を手動あるいは電動で行う。手動で行う場合、回転数を高め遠心力を得るのは容易ではない。電動で行う場合、スイッチオンで簡便だが、反面現在の発電形態下では昨今の原発問題等も含み環境への負荷になっている。
【０００４】
【課題を解決するための手段】
上述した課題を解決するために、従来の自転車のペダル機能を用いて、人の脚力（足）を攪拌・回転動力源とする。足でペダルを踏み発生させた回転をギア（チエーンホイール）で受け、ギアに取り付けたチェーン等で生ごみ処理回転ドラム（１）装着部のギアに伝達し回転させ、有用微生物発酵促進材と生ごみを攪拌回転させる動力とする。リアブレーキで回転を止めることができる。
【０００５】
このとき体を安定させるため、ハンドル、幅の広いサドル、固定スタンドを用いる。固定スタンドにはキャスター（２）を取り付け、場所移動する時に利用する。
【０００６】
生ごみ処理回転ドラム（１）は、容量を２０〜３５リットルに押さえた密閉密閉型容器とし着脱式で運搬、水洗可能。また、生ごみ及び有用微生物発酵促進材の出し入れ口（５）は、生ごみ等の飛散防止と密閉のため（３・４）の二重蓋になっている。ギアチェンジにより、回転ドラムの回転数を上げ遠心力利用で生ごみから出る水分を分離除去したり、ドラムは回転せず攪拌フィン（７・８）のみ回転させることができる。水分を分離除去するため、回転ドラムの内部はメッシュ部有する二重内壁（９）である。
【０００７】
【発明の実施の形態】
従来の自転車のペダル機能を用いて、前輪を小型化するなど新たなデザイン、または既存自転車後部に安定化を図るため固定スタンドを装着し、生ごみ処理回転ドラムを支える。回転ドラムを装着した（図１）の状態で、サドルに腰掛けハンドルを握り、ペダルをこぐと、回転ドラムが回転し生ごみと有用微生物発酵促進材が攪拌され、生ごみの発酵が促進される。ギアチェンジにより回転数を上げ遠心力利用で生ごみから出る水分を除去し、発酵分解高めることもできる。
【０００８】
固定スタンドに取り付けられたキャスター（２）は、場所移動する時に利用する。固定スタンドで支えられた回転ドラムは、容量を２０〜３５リットルに押さえた密閉型容器であり、着脱式で運搬・水洗可能なものである。
【０００９】
【実施例】
従来の自転車のペダル機能を用いる、いわば自転車合体型の生ごみ処理機なので移動は自由自在。場所移動時には、固定スタンドに取り付けられたキャスター（２）を利用する。置き場所は勝手口軒下、ガレージ、ベランダ、物置等各所で使用できる。
【００１０】
生ごみ処理回転ドラム（１）を装着した（図１）の状態で、サドルに腰掛けハンドルを握り、ペダルをこぐと、生ごみ処理回転ドラムが回転し生ごみと有用微生物発酵促進材が攪拌され、生ごみの発酵が促進される。このときギアチェンジにより回転数を上げ遠心力利用で生ごみから出る水分を分離除去し、発酵分解を高めることもできる。このため（１）の内部はメッシュ部有する二重内壁となっている。回転を止めるには、リアブレーキを用いる。
【００１１】
生ごみ処理回転ドラムは、容量を２０〜３５リットルに押さえた密閉型容器であり、着脱式で運搬・水洗可能なものであるから、満杯になったり内部が汚れた際、取り外して水洗いできる。これにより、生ごみの処理に混用する有用微生物発酵促進材作りにも利用することができる。生ごみ及び有用微生物発酵促進材の出し入れは、生ごみ等の飛散防止と密閉のため（３・４）の二重蓋になっている（５）を利用する。
【００１２】
【発明の効果】
人の脚力（足）利用という環境に負荷のない動力源で、対処迫られている環境問題の軽減・ごみの減量化、生ごみのリサイクルを推進できる。燃料が要らず、騒音も排気ガスも出ない。かつ、多用性がある。生ごみ処理回転ドラムを、容量を２０〜３５リットルに押さえた密閉型容器にし、着脱式で運搬・水洗可能なものであることから、生ごみの処理に混用する有用微生物発酵促進材作りにも利用することができる。
【００１３】
また、このペダルを踏むことによって、生ごみの減量化、生ごみのリサイクルをしながら相応の運動をすることになり健康増進にも一役買う。この効果より「健康生ごみ処理機」と名付けた。この点を推し量れば、利用にあたっては一般家庭に止まらず、企業や公的機関の休憩所などで「健康生ごみ処理機」のペダル踏みでリフッレッシュという光景が生まれる可能性はある。環境教育の一環として生ごみのリサイクルを実施する際、学校などで利用されれば子供達にとって楽しい時間の創出になると考えられる。
【００１４】
さらに、従来の自転車のペダル機能を用いる、いわば自転車合体型の生ごみ処理機なので、社会問題となっている放置自転車、あるいは不要物回収処理されている中古自転車のリユースに新たな活路を拓くことができる。
【図面の簡単な説明】
【図１】「健康生ごみ処理機」の全体外観斜視図である。
【図２】回転ドラム内部の斜視図である。
【符号の説明】
１・・・生ごみ処理回転ドラム    ２・・・キャスター
３・・・生ごみ出し入れ口外蓋    ４・・・生ごみ出し入れ口内蓋
５・・・生ごみ出し入れ口        ６・・・９の着脱金具
７・・・攪拌フィンＡ            ８・・・攪拌フィンＢ
９・・・１のメッシュ部有する二重内壁
１０・・・１の着脱可側蓋        １１・・・１の密閉用パッキン溝
【図１】
2004358447.tif 000003
【図２】
2004358447.tif 000004